(57)【特許請求の範囲】
【請求項１】
複数本のバーナと各バーナごとに付設された複数本の点火トーチとを備え、バーナ総数の一部に相当する複数本のバーナがボイラを起動させるための起動用バーナとして予め定められた油焚きボイラ又はガス焚きボイラにおいて、ボイラ起動時のバーナ点火時に、前記起動用バーナに付設された複数本の点火トーチを同時に点火し、これら複数本の点火トーチのうちの少なくとも１本が正常に点火された場合には、他の１乃至複数本の点火トーチに点火異常を生じても正常に点火された点火トーチの元弁を閉じず、ボイラトリップを回避することを特徴とするボイラ起動時のバーナ点火制御方法。
【請求項２】
請求項１に記載のボイラ起動時のバーナ点火制御方法において、前記起動用バーナに付設された全ての点火トーチを同時に点火することを特徴とするボイラ起動時のバーナ点火制御方法。
【請求項３】
請求項１に記載のボイラ起動時のバーナ点火制御方法において、前記起動用バーナに付設された点火トーチの一部を同時に点火することを特徴とするボイラ起動時のバーナ点火制御方法。
【発明の詳細な説明】
【０００１】
【発明の属する技術分野】
本発明は、ボイラ起動時におけるバーナ点火制御方法に関する。
【０００２】
【従来の技術】
図３に、従来より知られている油焚きボイラ又はガス焚きボイラにおけるバーナ及び点火トーチの配置例を示す。この図から明らかなように、本例の油焚きボイラ又はガス焚きボイラにおいては、ボイラ火炉１を構成する缶前及び缶後のボイラ側壁２に、１列当り５ヵ所ずつのバーナ及び点火トーチの取付位置が上下２列に設定されている。図中の符号は、各バーナ及び点火トーチの取付位置を示しており、缶前の上列には１Ａ〜５Ａの符号が割り振られ、缶前の下列には１Ｂ〜５Ｂの符号が割り振られている。また、缶後の上列には６Ａ〜１０Ａの符号が割り振られ、缶後の下列には６Ｂ〜１０Ｂの符号が割り振られている。
【０００３】
各取付位置１Ａ〜１０Ａ及び１Ｂ〜１０Ｂには、図４に示すように、バーナ３と当該バーナに火を付けるための助燃装置である点火トーチ４とが並設されており、バーナ３にバーナ用燃料を供給するバーナ燃料供給管５にはバーナ用元弁６が、点火トーチ４に点火トーチ用燃料を供給する点火トーチ燃料供給管７には点火トーチ用元弁８が設けられている。
【０００４】
ところで、ボイラ起動時においては、前記バーナ群の中から予め定められた複数本（通常は、バーナ総数の１／５〜１／４本に相当する本数）の起動用バーナについてのみ点火操作を行う点火制御を実行し、点火制御が完了した後に必要に応じて起動用バーナ以外のバーナの点火操作を順次行うという制御方法が取られる。前記の点火制御は、係員が操作盤に設けられた点火制御開始用押しボタンを操作することによって開始され、操作盤に予め設定又は記憶された点火順序に従って行われるが、従来においては、起動用バーナを１本ずつ順番に点火させるという点火制御方式がとられていた。
【０００５】
図２は、従来例に係る点火制御の一例を示すフローチャートであって、図３に示したバーナ及び点火トーチの配置構造を有し、取付位置１Ｂ，５Ｂ，７Ｂ，９Ｂに配置されたバーナが起動用バーナとして予め定められたボイラ装置の点火制御を示している。この図から明らかなように、本例の点火制御においては、まず取付位置１Ｂに配置された点火トーチを点火して取付位置１Ｂに配置された起動用バーナを点火し、当該起動用バーナの点火が完了した後に、取付位置５Ｂに配置された点火トーチを点火して取付位置５Ｂに配置された起動用バーナを点火する。以下同様にして、取付位置７Ｂに配置された点火トーチを点火して取付位置７Ｂに配置された起動用バーナを点火し、当該起動用バーナの点火が完了した後に、取付位置９Ｂに配置された点火トーチを点火して取付位置９Ｂに配置された起動用バーナを点火する。取付位置１Ｂ，５Ｂ，７Ｂ，９Ｂに配置された起動用バーナが全て点火完了した時点で、点火制御完了となる。
【０００６】
なお、取付位置１Ｂに配置された点火トーチの点火工程に異常が発生した場合には、当該点火トーチに点火トーチ用燃料を供給する点火トーチ燃料供給管７に設けられた点火トーチ用元弁８が全閉状態に切り換えられ、次いで各バーナにバーナ用燃料を供給するバーナ燃料供給管５に設けられた全てのバーナ用元弁６が全閉状態に切り換えられるので、ボイラトリップとなる。
【０００７】
【発明が解決しようとする課題】
このように起動用バーナを１本ずつ順番に点火させるという点火制御方式であると、最初の点火トーチの点火工程に異常が発生した場合、直ちにボイラトリップとなるので、ボイラの起動を円滑かつ確実に行うことが難しいという問題がある。特に、ボイラコールド起動時、即ち、ボイラを長時間停止後に再起動する場合には、ボイラ内が冷えているために点火トーチが点火しにくく、かかる不都合を生じやすい。一旦ボイラトリップが発生すると、ボイラを再起動するためには、例えば給水ポンプの再起動、火炉内のパージ、燃料配管のリークチェックなど多くのわずらわしい手順を再度繰り返さなくてはならず、多大の時間と労力を浪費する結果になる。なお、従来においては、点火トーチの点火工程に異常が発生した場合にもボイラトリップにならないようにインターロック回路を解除した状態でバーナの点火制御を実行することも行われているが、安全性を確保する上からあまり好ましくない。
【０００８】
また、前記の点火制御方式によると、起動用バーナが１本ずつ順番に点火させるので、ボイラ起動時におけるボイラ火炉の昇温が不均一になりやすいという問題もある。
【０００９】
本発明は、かかる従来技術の不備を解消するためになされたものであって、その目的は、ボイラコールド起動時においてもボイラトリップを起しにくく、かつボイラ火炉を均一に昇温することが可能なボイラ起動時のバーナ点火制御方法を提供することにある。
【００１０】
【課題を解決するための手段】
本発明は、前記の課題を解決するため、複数本のバーナと各バーナごとに付設された複数本の点火トーチとを備え、バーナ総数の一部に相当する複数本のバーナがボイラを起動させるための起動用バーナとして予め定められた油焚きボイラ又はガス焚きボイラにおいて、ボイラ起動時のバーナ点火時に、前記起動用バーナに付設された複数本の点火トーチを同時に点火し、これら複数本の点火トーチのうちの少なくとも１本が正常に点火された場合には、他の１乃至複数本の点火トーチに点火異常を生じても正常に点火された点火トーチの元弁を閉じず、ボイラトリップを回避するという運用にした。
【００１１】
なお、この場合、前記起動用バーナに付設された全ての点火トーチを同時に点火することもできるし、前記起動用バーナに付設された点火トーチの一部を同時に点火することもできる。
【００１２】
複数本の点火トーチに対して同時に点火操作を実行すると、点火トーチを１本のみ単独で点火操作する場合に比べて点火トーチに正常に点火される確率が向上する。したがって、同時に点火操作された複数本の点火トーチのうちの少なくとも１本が正常に点火された場合には、他の１乃至複数本の点火トーチに点火異常を生じても正常に点火された点火トーチの元弁を閉じず、ボイラトリップを回避するという運用にすれば、ボイラトリップを高い確率で防止でき、ボイラの起動を円滑かつ確実に行うことができる。また、複数本の点火トーチを同時に点火するので、ボイラ火炉を均一に昇温することができ、燃焼の安定性を高めることができる。
【００１３】
【発明の実施の形態】
以下、本発明の実施形態例に係るボイラ起動時のバーナ点火制御方法を、図１に基づいて説明する。図１は実施形態例に係るボイラ起動時のバーナ点火制御方法を示すフローチャートである。本例においても、従来技術と同様に、取付位置１Ｂ，５Ｂ，７Ｂ，９Ｂに配置されたバーナが起動用バーナとして予め定められた図３のボイラ装置を制御の対象としている。
【００１４】
図１に示すように、本実施形態例においては、点火制御開始用押しボタンが操作されると、予め起動用バーナとして設定された取付位置１Ｂ，５Ｂ，７Ｂ，９Ｂに配置されたバーナの点火トーチに対して同時に点火操作が行われる。同時に点火操作が行われた４本の点火トーチのうち、少なくとも１本の点火トーチに正常に点火された場合には、他の１乃至複数本の点火トーチに点火異常を生じても正常に点火された点火トーチの元弁８及び当該点火トーチが付設された起動用バーナの元弁６（図４参照）を閉じず、ボイラトリップを回避する。４本の点火トーチが同時に点火されず、点火異常を起した点火トーチがある場合には、当該点火トーチについて再度点火操作を実行する。
【００１５】
このようにして４本の点火トーチに全て点火された後は、取付位置１Ｂに配置された起動用バーナ、取付位置５Ｂに配置された起動用バーナ、取付位置７Ｂに配置された起動用バーナ、取付位置９Ｂに配置された起動用バーナの順に点火して行き、４本の起動用バーナの点火を完了した後、点火制御完了となる。
【００１６】
このように、複数本の点火トーチに対して同時に点火操作を実行すると、点火トーチを１本のみ単独で点火操作する場合に比べて点火トーチに正常に点火される確率が向上するので、同時に点火操作された複数本の点火トーチのうちの少なくとも１本が正常に点火された場合には、他の１乃至複数本の点火トーチに点火異常を生じても正常に点火された点火トーチの元弁を閉じず、ボイラトリップを回避するという運用にすれば、ボイラトリップを高い確率で防止でき、ボイラの起動を円滑かつ確実に行うことができる。また、複数本の点火トーチに対して同時に点火操作を実行するので、ボイラ火炉を均一に昇温することができ、燃焼の安定性を高めることができる。
【００１７】
なお、前記実施形態例においては、起動用バーナに付設された全ての点火トーチに対して同時に点火操作を行ったが、起動用バーナに付設された全ての点火トーチに対して同時に点火操作を行うことは必ずしも必要ではなく、起動用バーナに付設された一部の点火トーチに対して同時に点火操作を行うこともできる。即ち、前記実施形態例に即していうならば、４本の点火トーチに対して同時に点火操作を行う必要は必ずしもなく、２本又は３本の点火トーチについて同時に点火操作を行うこともできる。
【００１８】
【発明の効果】
以上説明したように、本発明によると、複数本の点火トーチに対して同時に点火操作を実行するようにしたので、点火トーチを１本のみ単独で点火操作する場合に比べて点火トーチに正常に点火される確率が向上し、同時に点火操作された複数本の点火トーチのうちの少なくとも１本が正常に点火された場合にはボイラトリップを回避するという運用にすることによって、ボイラトリップを高い確率で防止でき、ボイラの起動を円滑かつ確実に行うことができる。また、複数本の点火トーチに対して同時に点火操作を実行するので、ボイラ火炉を均一に昇温することができ、燃焼の安定性を高めることができる。
【図面の簡単な説明】
【図１】実施形態例に係るボイラ起動時のバーナ点火制御方法を示すフローチャートである。
【図２】従来例に係るボイラ起動時のバーナ点火制御方法を示すフローチャートである。
【図３】バーナ及び点火トーチの配置例を示すボイラ火炉の斜視図である。
【図４】バーナ及び点火トーチ回りの構成を示すボイラ火炉の要部断面図である。
【符号の説明】
１  ボイラ火炉
２  ボイラ側壁
３  バーナ
４  点火トーチ
５  バーナ燃料供給管
６  バーナ用元弁
７  点火トーチ燃料供給管
８  点火トーチ用元弁
１Ａ〜１０Ａ，１Ｂ〜１０Ｂ  バーナ及び点火トーチの取付位置
【図１】
0003765553.tif 000002
【図２】
0003765553.tif 000003
【図３】
0003765553.tif 000004
【図４】
0003765553.tif 000005